(57)【要約】      （修正有）【課題】黒い水滴が、吹出口から室内へ送風されることを低減できる加湿装置を提供する。【解決手段】本体ケース１内に備えた吸気口と吹出口５とを連通する風路１１と、風路１１に設けた送風機９と、風路１１における送風機９の上流側に設けた加湿部１０とを備えている。送風機９は、ケーシング部１４とモータ部１２とファン部１３とを備えている。ケーシング部１４は、吸込口１６と、上面には吹出口５と連通する吐出口１５を設け、吐出口１５とファン部１３との間にケーシング風路部２４を備えている。ケーシング風路部２４は、ファン部１３の回転軸方向における一方側から他方側へ傾斜し、ファン部がケーシング風路部２４の吐出口１５より一方側に配置される。【選択図】図４
2017110875.tif 000002
【特許請求の範囲】
【請求項１】
吸気口と吹出口を有する本体ケースと、
前記本体ケース内に備えた前記吸気口と前記吹出口とを連通する風路と、
前記風路に設けた送風機と、
前記風路における前記送風機の上流側に設けた加湿部とを備え、
前記送風機は、
ケーシング部と、
前記ケーシング部に固定されたモータ部と、
前記モータ部によって回転するファン部とを備え、
前記ケーシング部は、
吸込口と、
上面には前記吹出口と連通する吐出口を設け、
前記吐出口と前記ファン部との間にケーシング風路部を備え、
前記ケーシング風路部は、
前記ファン部の回転軸方向における一方側から他方側へ傾斜し、
前記ファン部が前記ケーシング風路部の前記吐出口より一方側に配置されることを特徴とする加湿装置。
【請求項２】
前記ケーシング風路部は、
前記ケーシング風路部における一方側の一方側風路面と、
前記ケーシング風路部における他方側の他方側風路面とに挟まれ、
前記一方側風路面は、
前記ケーシング風路部の下端から上方に延びた第１の一方側風路面と、
前記第１の一方側風路面の上端から他方側へ傾斜しながら上方へ延びた第２の一方側風路面とを備えたことを特徴とする請求項１に記載の加湿装置。
【請求項３】
前記他方側風路面は、
前記ケーシング風路部の下端から他方側へ傾斜しながら上方へ延び、
前記第２の一方側風路面と実質的に平行であることを特徴とする請求項２に記載の加湿装置。
【請求項４】
前記ケーシング風路部における一方側には、
送風方向に対して交差するように伸びる溝を複数有することを特徴とする請求項１から３のいずれかに記載の加湿装置。
【請求項５】
前記溝は、
一方側へ凹んだ凹形状であることを特徴とする請求項４記載の加湿装置。
【請求項６】
前記ケーシング風路部は、
前記ファン部の回転軸方向における前記本体ケースの背面側である前記一方側から前記本体ケースの前面側である他方側へ傾斜することを特徴とする請求項１から５のいずれかに記載の加湿装置。
【発明の詳細な説明】
【技術分野】
【０００１】
本発明は、水槽に一部を浸した加湿フィルターを回転するとともに、加湿フィルターに通風して加湿する気化式の加湿装置に関するものである。
【背景技術】
【０００２】
従来、この種の加湿装置の一例として、加湿フィルターを円筒形状とし回転させることで、加湿フィルターの全部位が溜水内に浸水することを特徴とする加湿装置が知られている。（例えば、特許文献１、２参照）。
【０００３】
この加湿装置は、吸込口と吹出口を連通して形成される送風流路に送風空気を流通させる送風部を設けた本体と、この本体に設けたタンクから給水されるトレイと、トレイの溜水に常に一部を浸した状態に設けられた円筒形状の加湿フィルターとで構成されている。
【０００４】
そして、加湿フィルターは、加湿フィルター保持具に固定された状態で送風流路に保持され、駆動モーターによって加湿フィルター保持具を回転させることによって、加湿フィルターが水平方向を軸として回転するように構成されている。このような構成により、加湿フィルターが駆動モーターによって回転し、加湿フィルターの全表面が溜水を通過することで水分を帯びた状態となる。そして、送風部によって流通される送風空気が加湿フィルターを通過する際に、加湿フィルターに付着した水分を気化することで送風空気が高湿状態となり、吹出口より室内に放出されるものである。
【０００５】
そして、加湿フィルター保持具は、加湿フィルターが円筒形状を保たせる複数の円盤と、円盤を保持し保持する円盤保持具によって構成されており、円盤保持具は加湿フィルターに内接しているという構成となっている。
【先行技術文献】
【特許文献】
【０００６】
【特許文献１】特開２００６−２００７６２号公報
【特許文献２】特開２０１０−２８１５１８号公報
【発明の概要】
【発明が解決しようとする課題】
【０００７】
このような従来の加湿装置においては、加湿フィルターの全部位に付着した水分を確実に気化させることにより、より高湿度の空気を室内に供給できるものである。このような装置を、喫煙所等に設置された場合に、本体の吹出口から黒い水滴のようなものが吹き出す場合がある。詳しいことは分かっていないが、タバコのヤニが本体内の風路内に付着し、この送風路を加湿された空気が通過すると、風路内に付着したヤニが黒い水滴に変化する。この黒い水滴が、加湿部の下流側に設けられた送風部によって、本体の吹出口から室内へ送風される場合があると考えられる。すなわち、本体ケースの吸込口から吹出口の風路が粉塵で汚れ、この粉塵が黒い水滴となり吹出口の風向板に付着してしまうという課題を有していた。
【０００８】
そこで、本発明は上記課題を解決するものであり、黒い水滴が、吹出口から室内へ送風されることを低減できる加湿装置を提供することを目的としている。
【課題を解決するための手段】
【０００９】
そして、この目的を達成するために、本発明は、吸気口と吹出口を有する本体ケースと、前記本体ケース内に備えた前記吸気口と前記吹出口とを連通する風路と、前記風路に設けた送風機と、前記風路における前記送風機の上流側に設けた加湿部とを備え、前記送風機は、ケーシング部と、前記ケーシング部に固定されたモータ部と、前記モータ部によって回転するファン部とを備え、前記ケーシング部は、吸込口と、上面には前記吹出口と連通する吐出口を設け、前記吐出口と前記ファン部との間にケーシング風路部を備え、前記ケーシング風路部は、前記ファン部の回転軸方向における一方側から他方側へ傾斜し、前記ファン部が前記ケーシング風路部の前記吐出口より一方側に配置されることを特徴としたものであり、これにより所期の目的を達成するものである。
【発明の効果】
【００１０】
本発明によれば、吸気口と吹出口を有する本体ケースと、前記本体ケース内に備えた前記吸気口と前記吹出口とを連通する風路と、前記風路に設けた送風機と、前記風路における前記送風機の上流側に設けた加湿部とを備え、前記送風機は、ケーシング部と、前記ケーシング部に固定されたモータ部と、前記モータ部によって回転するファン部とを備え、前記ケーシング部は、吸込口と、上面には前記吹出口と連通する吐出口を設け、前記吐出口と前記ファン部との間にケーシング風路部を備え、前記ケーシング風路部は、前記ファン部の回転軸方向における一方側から他方側へ傾斜し、前記ファン部が前記ケーシング風路部の前記吐出口より一方側に配置されるため、ファン部から上方へ吹き出した空気の大部分が、ケーシング風路部に当たり、ファン部の回転軸方向における一方側から他方側へ傾斜したケーシング風路部に黒い水滴が付着するので、黒い水滴が吹出口を介して室内へ送風されることを低減できる。
【図面の簡単な説明】
【００１１】
【図１】本発明の実施の形態１の加湿装置の斜視図
【図２】同加湿装置の斜視図
【図３】同加湿装置の天面パネルの平面図
【図４】同加湿装置の断面図
【図５】同加湿装置の斜視図
【図６】同加湿装置の上部の断面斜視図
【発明を実施するための形態】
【００１２】
以下、本発明の実施形態について図面を参照しながら説明する。
【００１３】
（実施の形態１）
図１は、本発明の実施の形態１の加湿装置の斜視図であり、加湿装置を前面側から見た図である。図２は、本発明の実施の形態１の加湿装置の斜視図であり、加湿装置の天面パネルを外し前面側から見た図である。
【００１４】
図１、図２に示すように、本実施形態の加湿装置においては、略箱形状の本体ケース１を備え、本体ケース１の両側面には略四角形状の吸気口２を有している。本体ケース１の前面には開閉可能な扉３を備え、扉３を開くと後述する本体ケース１内の加湿部を取り出すことが出来る。
【００１５】
本体ケース１は、上面の背面側には天面パネル４を備えている。天面パネル４は、本体ケース１上面の吹出口５に設けられている。天面パネル４は、横長四角板形状で、中央に矩形状の中心軸が上下方向に延びた筒形状である開口部６を備えている。開口部６は、本体ケース１の吹出口５と連通している。
【００１６】
図３は、本発明の実施の形態１の加湿装置の平面図であり、加湿装置を上方から見た図である。
【００１７】
図３に示すように、天面パネル４の開口部６には、多数の孔を有した格子部７と、風向を変更する風向板８を備えている。格子部７は開口部６下部の水平に配置され、多数の孔は指が入らない大きさである。格子部７の上方には、複数の風向板８が、本体ケース１における前後方向へ回動自在に設けられている。なお、格子部７は、異物や指が入らないように、カーバーするためのものであり、網目形状も含むものである。
【００１８】
図４は、本発明の実施の形態１の加湿装置の断面図であり、加湿装置を右側から見た図である。図５は、本発明の実施の形態１の加湿装置の斜視図であり、加湿装置の扉を開き、加湿部を引き出し前面側から見た図である。
【００１９】
図４、図５に示すように、本体ケース１内には、送風機９と、加湿部１０、風路１１とを備えている。
【００２０】
送風機９は、本体ケース１の背面側中央部に設けられ、モータ部１２とモータ部１２により回転するファン部１３とそれらを囲むケーシング部１４とを備えている。
【００２１】
ファン部１３は、シロッコファンで、モータ部１２から水平方向に延びたモータ軸（図示せず）に固定され、モータ部１２は、ケーシング部１４に固定されている。ケーシング部１４は、ケーシング部１４の本体ケース１における上面側に吐出口１５を備え、ケーシング部１４の本体ケース１における前面側に吸込口１６を有している。
【００２２】
加湿部１０は、水を貯水するトレイ部分１７と、トレイ部分１７に水を供給するタンク部分１８と、トレイ部分１７内の水に一部が浸漬したフィルター部分１９とを備えている。トレイ部分１７とフィルター部分１９は、送風機９より下方に配置されている。
【００２３】
トレイ部分１７は、天面を開口した箱形状をしており、水を貯水できる構造となっており、本体ケース１の下部に配置され、本体ケース１から水平方向にスライドして着脱可能となっている。
【００２４】
タンク部分１８は、本体ケース１内部の前面側に設置され、トレイ部分１７から着脱可能な構造となっている。タンク部分１８は、水を貯水する中空形状であるタンク２０と、タンク２０と一体となった取手２１とを備えている。
【００２５】
タンク２０は、下部にタンク開口（図示せず）を備え、このタンク開口（図示せず）をキャップ２２により密閉できる構造となっているが、トレイ部分１７にタンク２０を設置すると、キャップ２２に設けられた水栓（図示せず）が解放され、水がトレイ部分１７に供給される構造となっている。水面が水栓まで上昇してくると、水面によりタンク２０が密閉され、水の供給が停止し、常に一定量の水を供給することができる。
【００２６】
フィルター部分１９は、トレイ部分１７に貯水された水と、送風機９によって本体ケース１内に吸込まれた室内空気とを接触させる部材である。円筒状に構成され、円周部分に空気が流通可能な孔を備えたフィルター２３を配置し、その一端がトレイ部分１７の水に浸漬するように、フィルター２３の中心軸を回転中心としてトレイ部分１７に回転自在に内蔵されている。そして、駆動部（図示しない）による回転され、水と室内空気を連続的に接触させる構造となっている。
【００２７】
風路１１は、吸気口２と吹出口５とを連通し、この風路１１には、吸気口２から順に、加湿部１０（トレイ部分１７、フィルター部分１９）、送風機９、吹出口５とを備えている。モータ部１２によってファン部１３が回転すると、吸気口２から風路１１内に入った外部の空気は、順に、加湿部１０であるフィルター２３、送風機９、吹出口５を介して、開口部６から吹き出される。
【００２８】
図４に示すように、本実施形態における特徴は、ケーシング部１４の形状である。ケーシング部１４は、吐出口１５とファン部１３との間にケーシング風路部２４を備えている。ケーシング風路部２４は、本体ケース１における背面側（ファン部の回転軸方向における一方側）から本体ケースにおける前面側（ファン部の回転軸方向における他方側）へ傾斜し、ファン部１３がケーシング風路部２４の吐出口１５より本体ケースにおける背面側（ファン部の回転軸方向における一方側）に配置された点である。言い換えると、本体ケース１の上方から吐出口１５を見ると、ファン部１３が見えず、ケーシング風路部２４が見えるものである。
【００２９】
ファン部１３は、シロッコファンで、モータ部１２から本体ケース１における前面側へ水平方向に延びたモータ軸（図示せず）に固定されている。このファン部１３が回転すると、本体ケース１における前面側の吸込口１６からケーシング部１４内へ吸い込まれ、遠心方向であるファン部１３の上方から上方向へ延びているケーシング風路部２４へ送風される。
【００３０】
これにより、ファン部１３から上方へ吹き出した空気の大部分が、ケーシング風路部２４に当たり、ファン部１３の回転軸方向における一方側から他方側へ傾斜したケーシング風路部２４に黒い水滴が付着する。傾斜したケーシング風路部２４に付着した黒い水滴は、そこから上方へ上がり難いので、吹出口５を介して室内へ送風されることを低減できる。
【００３１】
また、ケーシング風路部２４は、ケーシング風路部２４における背面側（ファン部の回転軸方向における一方側）の一方側風路面２５と、ケーシング風路部２４における前面側（ファン部の回転軸方向における他方側）の他方側風路面２６とに挟まれている。一方側風路面２５は、ケーシング風路部２４の下端から上方に延びた第１の一方側風路面２７と、第１の一方側風路面２７の上端から前面側（ファン部の回転軸方向における他方側）へ傾斜しながら上方へ延びた第２の一方側風路２８とを備えている。
【００３２】
これにより、ファン部１３から上方へ吹き出した空気の大部分が、ケーシング風路部２４の第１の一方側風路面２７を通過した後で、第２の一方側風路２８に当たるので、第２の一方側風路２８に当たる風速が弱まり、第２の一方側風路２８に付着した黒い水滴の飛散を抑制できる。さらに、風路圧損を低減でき、風量の低下を抑えることができる。
【００３３】
また、吹出口５から手を入れて黒い水滴をふき取る場合に、ケーシング風路部２４の下端から上方に延びた第１の一方側風路面２７があると、ファン部１３上部の空間が大きくなり、第１の一方側風路面２７、第２の一方側風路２８に付着した黒い水滴を拭き取り易い。
【００３４】
また、他方側風路面２６は、ケーシング風路部２４の下端から前面側（ファン部の回転軸方向における他方側）へ傾斜しながら上方へ延び、第１の一方側風路面２７と実質的に平行である。
【００３５】
これにより、ケーシング風路部２４の有効面積の変化が少なく空気の流れがスムーズであることにより、風路圧損を低減でき、風量の低下を抑えることができる。
【００３６】
図６は、本発明の実施の形態１の加湿装置の上部の断面斜視図であり、加湿装置の前面側から見たケーシング風路部の図である。
【００３７】
図６に示すように、ケーシング風路部２４における背面側（ファン部の回転軸方向における一方側）である第２の一方側風路２８には、送風方向に対して交差するように伸びる溝２９を複数有する。溝２９は、背面側（ファン部の回転軸方向における一方側）へ凹んだ凹形状である。
【００３８】
これにより、ケーシング風路部２４における第２の一方側風路２８の表面積を拡大し、より多くの黒水を捕集できる。更に、黒い水滴が溝２９内に入り込み、そこから上方へ上がり難いので、吹出口５を介して室内へ送風されることを低減できる。
【産業上の利用可能性】
【００３９】
本発明は、加湿フィルターに通風して加湿する気化式の加湿装置として適している。
【符号の説明】
【００４０】
１    本体ケース
２    吸気口
３    扉
４    天面パネル
５    吹出口
６    開口部
７    格子部
８    風向板
９    送風機
１０    加湿部
１１    風路
１２    モータ部
１３    ファン部
１４    ケーシング部
１５    吐出口
１６    吸込口
１７    トレイ部分
１８    タンク部分
１９    フィルター部分
２０    タンク
２１    取手
２２    キャップ
２３    フィルター
２４    ケーシング風路部
２５    一方側風路面
２６    他方側風路面
２７    第１の一方側風路面
２８    第２の一方側風路
２９    溝
【図１】
2017110875.tif 000003
【図２】
2017110875.tif 000004
【図３】
2017110875.tif 000005
【図４】
2017110875.tif 000006
【図５】
2017110875.tif 000007
【図６】
2017110875.tif 000008